(57)【要約】【課題】大口径のホースでも少ない労力で巻き取ることができ、転倒のおそれがなく、ホースの運搬も容易なホース巻取り装置を提供する。【解決手段】  ホース巻取り装置１０は、下台１２，上台３０，リール４０，手動でリール４０を回転させるための操作ハンドル５０，一対のポール２８Ａ，２８Ｂ，リール４０に巻回されたホース７０を束ねるベルトにより構成される。前記上台３０は、前記下台１２に立設された主軸２０を軸として回転可能である。前記リール４０は、前記上台３０に水平状態に設置され、上台３０とともに回転可能であって、その芯部に、ポール２８Ａ，２８Ｂ間の隙間２９を通して平らに形が整えられたホース７０が巻き取られる。このため、少ない労力でホース７０をきちんと巻き取ることができるとともに、巻取り状態のホース７０が安定するため転倒のおそれがなく、また運搬も容易に行うことができる。【選択図】図１
0003147570.tif 000002
【実用新案登録請求の範囲】
【請求項１】
底面にキャスタを有し、上面の略中央部に垂直方向に主軸が固定された下台，
該下台の上面に設けられており、前記主軸を軸として前記下台の上面に対し回転可能な上台，
略筒状であって周囲にホースが巻回される芯部と、該芯部の両端に設けられた一対のフランジ部とを有しており、前記主軸が前記芯部及びフランジ部の略中央部を貫通するように前記上台の上面に着脱可能に設置され、前記上台とともに回転可能なリール，
該リールを回転させるための回転手段，
前記下台に固定されており、前記ホースが平らな状態で前記芯部に巻回されるように形を整えて巻取りをガイドするとともに、前記ホースの内部液体の排出を促すガイド手段，
を備えたことを特徴とするホース巻取り装置。
【請求項２】
前記ガイド手段は、
平らな状態のホースの幅よりも長い高さを有しており、前記平らな状態のホースが通過可能な間隔で、前記下台の上面に立設された一対のポールを含むことを特徴とする請求項１記載のホース巻取り装置。
【請求項３】
前記回転手段が、
前記リールに対して着脱可能であって、手動で前記リールの回転操作を行うための操作用ハンドルであることを特徴とする請求項１又は２記載のホース巻取り装置。
【請求項４】
前記リールの一対のフランジ部を貫通し、前記リールの芯部に巻回されたホースの最外周を回って端部同士を結合することによって、前記ホースを束ねる一つ以上のベルト，
を備えたことを特徴とする請求項１〜３のいずれかに記載のホース巻取り装置。
【請求項５】
底面にキャスタを有し、上面の略中央部に垂直方向に主軸が固定された下台，
該下台の上面に設けられており、前記主軸を軸として前記下台の上面に対し回転可能な上台，
略筒状であって周囲にホースが巻回される芯部と、該芯部の両端に設けられた一対のフランジ部とを有しており、前記主軸が前記芯部及びフランジ部の略中央部を貫通するように前記上台の上面に着脱可能に設置され、前記上台とともに回転可能なリール，
該リールに対して着脱可能であって、手動で前記リールの回転操作を行うための操作用ハンドル，
平らな状態のホースの幅よりも長い高さを有し、前記平らな状態のホースが通過可能な間隔で前記下台の上面に立設された一対のポールを含んでおり、前記ホースが平らな状態で前記芯部に巻回されるように形を整えて巻取りをガイドするとともに、前記ホースの内部液体の排出を促すガイド手段，
前記リールの一対のフランジ部を貫通し、前記リールの芯部に巻回されたホースの最外周を回って端部同士を結合することによって、前記ホースを束ねる一つ以上のベルト，
を備えたことを特徴とするホース巻取り装置。
【考案の詳細な説明】
【技術分野】
【０００１】
本考案は、ホース巻取り装置に関し、更に具体的には、大容量泡放射システムなどに用いる大量送水用大口径高圧ホースなどに適したホース巻取り装置に関するものである。
【背景技術】
【０００２】
従来、消防用のホースは、作業者がホースを地面に転がしながら巻き取っていたが、ホースの口径が大きなものほど重量が増し、作業者への負担が大きかった。これに対し、手動操作で迅速に少ない労力でホースを巻き取るための技術が提案されている。例えば、下記特許文献１には、ホース巻き取りの中心部にホースの厚みに合うように２本の鉄の棒を設け、ホースがスムーズに巻き込まれるように左右にぶれ止め板を設置し、クランク棒を回すことにより２本の鉄棒が回転してホースが巻き込まれる消防用ホース二重巻き取り機が開示されている。
【特許文献１】特開平８−２６８６５１号公報
【考案の開示】
【考案が解決しようとする課題】
【０００３】
しかしながら、前記特許文献１に記載の技術では、水平に配置された鉄棒の回りにホースが巻かれる縦巻きとなるため、転倒のおそれがあったり、運搬が困難であったりするという不都合がある。特に、大口径のホースになるほど重量が増えるため、その問題が顕著となる。
【０００４】
本考案は、以上の点に着目したもので、その目的は、大口径のホースであっても、少ない労力で巻き取ることができるとともに、転倒のおそれがなく、ホースの運搬も容易なホース巻取り装置を提供することである。
【課題を解決するための手段】
【０００５】
前記目的を達成するため、本考案のホース巻取り装置は、底面にキャスタを有し、上面の略中央部に垂直方向に主軸が固定された下台，該下台の上面に設けられており、前記主軸を軸として前記下台の上面に対し回転可能な上台，略筒状であって周囲にホースが巻回される芯部と、該芯部の両端に設けられた一対のフランジ部とを有しており、前記主軸が前記芯部及びフランジ部の略中央部を貫通するように前記上台の上面に着脱可能に設置され、前記上台とともに回転可能なリール，該リールを回転させるための回転手段，前記下台に固定されており、前記ホースが平らな状態で前記芯部に巻回されるように形を整えて巻取りをガイドするとともに、前記ホースの内部液体の排出を促すガイド手段，を備えたことを特徴とする。
【０００６】
他の考案のホース巻取り装置は、底面にキャスタを有し、上面の略中央部に垂直方向に主軸が固定された下台，該下台の上面に設けられており、前記主軸を軸として前記下台の上面に対し回転可能な上台，略筒状であって周囲にホースが巻回される芯部と、該芯部の両端に設けられた一対のフランジ部とを有しており、前記主軸が前記芯部及びフランジ部の略中央部を貫通するように前記上台の上面に着脱可能に設置され、前記上台とともに回転可能なリール，該リールに対して着脱可能であって、手動で前記リールの回転操作を行うための操作用ハンドル，平らな状態のホースの幅よりも長い高さを有し、前記平らな状態のホースが通過可能な間隔で前記下台の上面に立設された一対のポールを含んでおり、前記ホースが平らな状態で前記芯部に巻回されるように形を整えて巻取りをガイドするとともに、前記ホースの内部液体の排出を促すガイド手段，前記リールの一対のフランジ部を貫通し、前記リールの芯部に巻回されたホースの最外周を回って端部同士を結合することによって、前記ホースを束ねる一つ以上のベルト，を備えたことを特徴とする。本考案の前記及び他の目的，特徴，利点は、以下の詳細な説明及び添付図面から明瞭になろう。
【考案の効果】
【０００７】
本考案は、下台の上面に設置される上台が、前記下台に立設された主軸を軸として回転可能であるとともに、前記上台に対して水平状態に取り付けられ、かつ前記上台とともに回転可能なリールを回転させて、その芯部にガイド手段を通過させて形を整えたホースを巻回することとした。このため、少ない労力でホースを巻き取ることができるとともに、巻取り状態のホースが安定するため転倒のおそれがなく、また運搬も容易に行うことができるという効果が得られる。
【考案を実施するための最良の形態】
【０００８】
以下、本考案を実施するための最良の形態を、実施例に基づいて詳細に説明する。
【実施例１】
【０００９】
最初に、図１及び図２を参照しながら本考案の実施例１を説明する。図１(A)は本実施例の外観斜視図，図１(B)は平面図，図１(C)は側面図である。図２(A)は本実施例のリールにホースを巻回した状態を示す斜視図，図２(B)は前記リールを巻取り装置から取り外す様子を示す図である。本実施例は、大容量泡放射システムなどに用いる大量送水用大口径高圧ホースの巻取り装置に本考案を適用したものである。図１(A)〜(C)に示すように、本実施例のホース巻取り装置１０は、下台１２と、上台３０と、ホース７０を巻取るリール４０と、該リール４０を回転させる操作ハンドル５０と、ベルト６０，６２（図２参照）により構成されている。
【００１０】
前記下台１２は、底面１２Ｂに複数のキャスタ１４を有しており、床１６や設置面などに対して移動可能となっている。また、前記下台１２の略中央部には、垂直方向に主軸２０が立設されており、該主軸２０の下端側は、前記底面１２Ｂに設けられた基部１８に固定されている。前記主軸２０の周囲には、リール４０下面が上台３０の高さになるように調整するための高さ調整材２２，及び高さ調整材２４が設けられている。更に、前記上面１２Ａの一つの角には、前記リール４０へホース７０が正しく巻回されるように巻取りをガイドするとともに、前記ホース７０の内部の液体の排出を促す一対のポール２８Ａ，２８Ｂを立設するための固定台２６が設けられている。前記一対のポール２８Ａ，２８Ｂは、大部分の内部液体が排出された平らな状態のホース７０の幅よりも長い高さを有するとともに、前記平らな状態のホース７０の厚みよりも若干広い間隔で配置されている。このような両ポール２８Ａ，２８Ｂ間の隙間２９にホース７０を通すことにより、該ホース７０が平らな形に整えられるとともに内部液体の大部分が排出され、リール４０にきちんと巻回可能となる。
【００１１】
前記上台３０は、上面３０Ａ側で前記リール４０及びホース７０を受けるとともに、底面３０Ｂには、前記下台１２の上面１２Ａに対して回転可能な複数のキャスタ３２を有している。該上台３０は略中央部が空いており、該中央部に前記リール４０をセットした状態で、前記下台１２に対して前記主軸２０を軸として回転可能となっている。
【００１２】
次に、前記リール４０は、一対のフランジ４２，４４と、該一対のフランジ４２，４４にわたって外周側に所定の間隔で設けられた複数の側面板４６により構成されている。複数の側面板４６は、前記ホース７０が巻回される芯部を形成しており、該芯部の内側に前記主軸２０が挿通可能となっている。前記一対のフランジ４２，４４は、略中央部に、前記主軸２０が貫通する穴４２Ａ，４４Ａを有するとともに、該穴４２Ａ，４４Ａから所定の間隔をおいて、それぞれ２つの穴４２Ｂ，４２Ｃと、穴４４Ｂ，４４Ｃが形成されている。前記中央部の穴４２Ａ，４４Ａの径は、前記主軸２０の外径よりも若干大きく設定されている。このため、前記主軸２０が前記穴４２Ａ，４４Ａを貫通するようにリール４０を水平状態で上台３０に載せると、前記リール４０は、前記上台３０とともに主軸２０を軸として、下台１２に対して回転可能となる。なお、本実施例では、複数の側面板４６で芯部を形成し、その隙間４８からホース７０の図示しない一端を収納可能としたが、ドラム缶のような筒状体の側面に、ホース端部（あるいは、端部に設けた口金など）を収納可能な開口部を設けて利用するようにしてもよい。
【００１３】
操作ハンドル５０は、本実施例では、複数のパイプ５２Ａ，５２Ｂ，５６Ａ〜５６Ｃを、Ｔ型の継ぎ手５４Ａ，５４Ｂで連結することによって構成されている。前記パイプ５２Ａは、前記リール４０の一対のフランジ４２，４４の穴４２Ｂ及び４４Ｂに挿通可能であり、パイプ５２Ｂは、穴４２Ｃ，４４Ｃに挿通可能となっている。また、これらパイプ５２Ａ，５２Ｂの外周面上方には、前記穴４２Ｂ，４２Ｃ，４４Ｂ，４４Ｃからの抜け落ちを防止するためのピン５８が、複数設けられている。これらパイプ５２Ａ，５２Ｂの上端に、パイプ５６Ａ〜５６Ｃの連結体を取り付けることにより、リール４０を回転させることができる。
【００１４】
次に、前記ベルト６０，６２について説明する。ベルト６０，６２は、リール４０に巻回されたホース７０が解けないように束ねるとともに、リール４０ごとホース７０を上台３０に着脱するためにも利用される。該ベルト６０，６２は、前記リール４０のフランジ部４２，４４の穴４２Ｂ，４４Ｂ及び４２Ｃ，４４Ｃを貫通し、前記リール４０に巻回されたホース７０の最外周を回って、輪状に形成された端部６０Ａ，６０Ｂ同士及び端部６２Ａ，６２Ｂ同士を、フック６４によって連結できる長さに設定されている。そして、図２(B)に示すように、前記端部６０Ａ，６０Ｂ，６２Ａ，６２Ｂをフック６４に掛けて吊り上げることにより、ホース７０が巻回されたリール４０を巻取り装置１０から容易に取り外したり、取り付けたりすることができる。なお、図示の例では、フック６４を利用してベルト６０，６２を吊り上げることとしたが、ベルト６０の端部６０Ａ，６０Ｂを他の金具で連結したり、あるいは、端部６０Ａ，６０Ｂ同士を直接結んだりして、吊り上げや吊り下げを行うようにしてもよい。なお、リール４０にホース７０が巻き取られた巻回体の径は、例えば、２ｍ３０ｃｍ程度である。
【００１５】
次に、本実施例の作用を説明する。まず、図２(B)に示すように、ベルト６０，６２を利用して、ホース７０が巻回されたリール４０を、巻取り装置１０の上台３０にセットする。ホース７０を利用するときは、下台１２を所望の場所に移動させる。そして、ホース７０を引っ張るか、操作ハンドル５０をホースの引出側に回転させることによりホース７０を引き出す。使用後は、ポール２８Ａ，２８Ｂ間の隙間２９を通して形を整えたホース７０の一方の端部側を、リール４０の側面板４６間の隙間４８に収納する。そして、図１(C)に示すように、ホース７０を前記隙間２９に通した状態で操作ハンドル５０を巻取り方向に回転させると、リール４０，ホース７０，上台３０が一体となって下台１２に対して回転し、ポール２８Ａ，２８Ｂの隙間２９を通過して平らに形を整えられたホース７０が、リール４０にきちんと巻取られる。このとき、前記ホース７０の内部に液体が残っている場合には、前記隙間２９を通すことにより大部分の液体の排出が促される。
【００１６】
このように、実施例１によれば、次のような効果がある。
(1)平らな状態のホース７０が、水平に設置されたリール４０に巻き取られるので、転倒のおそれがない。ホース７０が高圧送水用の大口径のホースの場合でも安定を保つことができる。
(2)下台１２に対して上台３０及びリール４０が回転可能なため、少ない労力でホース７０の巻取りができる。
(3)ホース７０をポール２８Ａ，２８Ｂの隙間２９に通すこととしたので、リール４０に正しく巻回するようにガイドされるとともに、ホース７０の内部の大部分の液体の排出を促すことができる。
(4)リール４０に巻回されたホース７０を束ねるためのベルト６０，６２を設け、該ベルト６０，６２を吊り下げ可能としたので、ホース７０が巻回された状態でのリール４０の交換が容易である。
【００１７】
なお、本考案は、上述した実施例に限定されるものではなく、本考案の要旨を逸脱しない範囲内において種々変更を加え得ることができる。例えば、以下のものも含まれる。
前記実施例で示した形状，寸法は一例であり、必要に応じて適宜変更してよい。
(2)前記操作ハンドル５０も一例であり、同様の効果を奏するように適宜設計変更してよい。また、モータを設けることにより、自動的にリール４０を回転させる構成としてもよい。この場合、例えば、基部１８付近に回転用のモータを設けることにより、電動回転が実現可能である。
(3)前記ベルト６０，６２を利用した吊り下げ方法も一例であり、同様の効果を奏するように適宜変更してよい。
(4)ホース７０の内部の液体は、水に限定されるものではなく、公知の各種の液体が適用可能である。
(5)本考案のホース巻取り装置は、上述した大容量泡放射システムなどに用いる大量送水用大口径高圧ホース以外の公知の各種のホースの巻取りに適用可能である。
【産業上の利用可能性】
【００１８】
本考案によれば、下台の上面に載置される上台が、前記下台に立設された主軸を軸として回転可能であるとともに、前記上台に対して水平状態に設置され、かつ前記上台とともに回転可能なリールの芯部に、ガイド手段を通過させて形を整えたホースを巻回することとしたので、ホース巻取り装置の用途に適用できる。特に、少ない労力でホースを巻き取ることができ、巻取り状態のホースの転倒のおそれがなく、運搬も容易であるため、大口径のホースの巻取りに好適である。
【図面の簡単な説明】
【００１９】
【図１】本考案の実施例１を示す図であり、(A)は外観斜視図，(B)は平面図，(C)は側面図である。
【図２】前記実施例１を示す図であり、(A)はリールにホースを巻回した状態を示す図，(B)は前記リールを巻取り装置から取り外す様子を示す図である。
【符号の説明】
【００２０】
１０：ホース巻取り装置
１２：下台
１２Ａ：上面
１２Ｂ：底面
１４：キャスタ
１６：床
１８：基部
２０：主軸
２２，２４：高さ調整材
２６：固定台
２８Ａ，２８Ｂ：ポール
２９：隙間
３０：上台
３０Ａ：上面
３０Ｂ：底面
３２：キャスタ
４０：リール
４２，４４：フランジ
４２Ａ〜４２Ｃ，４４Ａ〜４４Ｃ：穴
４６：側面板
４８：隙間
５０：操作ハンドル
５２Ａ，５２Ｂ，５６Ａ〜５６Ｃ：パイプ
５４Ａ，５４Ｂ：継ぎ手
５８：ピン
６０，６２：ベルト
６０Ａ，６０Ｂ，６２Ａ，６２Ｂ：端部
６４：フック
７０：ホース
７２Ａ：口金
【図１】
0003147570.tif 000003
【図２】
0003147570.tif 000004